(57)【要約】      （修正有） 【課題】透水性及び保水性があり、太陽熱の照り返しを和らげ、ヒートアイランド現象や地球温暖化の抑制効果のある真砂土を主成分とした舗装材料を表面化粧剤に使用したコンクリート積ブロックを提供する。【解決手段】表面に凹凸を施した表面化粧材からなる表面化粧部と、前記表面化粧部を圧着した平面部と第一傾斜部、第二傾斜部、拡張部を形成したコンクリート積ブロックからなるコンクリート積ブロック部とからなることを特徴とする真砂土を主成分とした舗装材料を表面化粧材に使用した。【選択図】図１
0003116654.tif 000002
【実用新案登録請求の範囲】
【請求項１】
表面に凹凸を施した表面化粧材からなる表面化粧部と、前記表面化粧部を圧着した平面部と第一傾斜部、第二傾斜部、拡張部を形成したコンクリート積ブロックからなるコンクリート積ブロック部とからなることを特徴とする真砂土を主成分とした舗装材料を表面化粧材に使用したコンクリート積ブロック。
【考案の詳細な説明】
【技術分野】
【０００１】
本考案は、真砂土を主成分とした舗装材料を表面化粧材に使用したコンクリート積ブロックに関する考案である。
【背景技術】
【０００２】
従来のコンクリート積ブロックは、コンクリートを積ブロック用型枠で固めたものであった。
【０００３】
しかしながら、従来のコンクリート積ブロックはコンクリート材だけで出来ているため水の透水性がなく、炎天下では太陽熱の照り返しが強いためヒートアイランド現象や地球温暖化の原因になっていた。
【特許文献１】特開２００３−１２９４０５号公報
【考案の開示】
【考案が解決しようとする課題】
【０００４】
そこで、本考案は、透水性及び保水性があり、太陽熱の照り返しを和らげ、ヒートアイランド現象や地球温暖化の抑制効果のある真砂土を主成分とした舗装材料を表面化粧材に使用したコンクリート積ブロックを提供することを目的とするものである。
【課題を解決するための手段】
【０００５】
本考案は、上記の課題を解決するために、表面に凹凸２ｂを施した表面化粧材２ａからなる表面化粧部２と、前記表面化粧部２を圧着した平面部３ｂと第一傾斜部３ｃ、第二傾斜部３ｄ、拡張部３ｅを形成したコンクリート積ブロック３ａからなるコンクリート積ブロック部３とからなることを特徴とする真砂土を主成分とした舗装材料を表面化粧材に使用したコンクリート積ブロック１の構成とした。
【考案の効果】
【０００６】
本考案の真砂土を主成分とした舗装材料を表面化粧材に使用したコンクリート積ブロックは、透水性及び保水性の高い舗装材料を表面化粧材に使用しているため、太陽熱の照り返しを弱め地球温暖化の抑制ができる。
【０００７】
また、表面化粧材に使用する舗装材料の主成分は真砂土であるため、無機質な灰色ではなく、より自然な景観を作りだすことができる。
【考案を実施するための最良の形態】
【０００８】
太陽熱の照り返しを弱めて地球温暖化を抑制し、更により自然な景観を作りだすことが出来るコンクリート積ブロックという目的を、真砂土を主成分とした舗装材料を使用することによって実現した。
【実施例１】
【０００９】
図１は本考案である真砂土を主成分とした舗装材料を表面化粧材に使用したコンクリート積ブロックの斜視図、図２は真砂土を主成分とした舗装材料を表面化粧材に使用したコンクリート積ブロックの断面図、図３は真砂土を主成分とした舗装材料を表面化粧材に使用したコンクリート積ブロックを積み重ねた状態を示した図である。
【００１０】
図１及び図２に示すように、本考案である真砂土を主成分とした舗装材料を表面化粧材に使用したコンクリート積ブロック１は、表面化粧部２と、前記表面化粧部２を平面部３ｂに施したコンクリート積ブロック部３とからなる。
【００１１】
表面化粧部２は、表面化粧材２ａからなり、表面化粧材２ａは主に真砂土を主成分としているため土色に近く、更にブロックの正面に土のような質感を持たせるために表面化粧材２ａは表面に凹凸２ｂが形成されている。尚、凹凸２ｂがなく平面であってもよいものとする。
【００１２】
コンクリート積ブロック部３はコンクリート積ブロック３ａからなる。コンクリート積ブロック３ａの正面側は略直方体状の平面部３ｂとなっており、平面部３ｂの背面より更に後部に向かって急な傾斜の第一傾斜部３ｃを形成して一気に縦幅を狭くし、次に緩やかな傾斜の第二傾斜部３ｄで縦幅が狭くなり、最後に後拡張部３ｅで若干縦幅を広げる。
【００１３】
図３に示すように、本考案である真砂土を主成分とした舗装材料を表面化粧材に使用したコンクリート積ブロック１は、同方向に向けて平行に並べて積み重ねて使用する。尚、コンクリート積ブロック１ａはコンクリート積ブロック１の形状を変えたもので、平面部３ｂ及び表面化粧材２ａがホームベースのような五角形状をしているものである。
【００１４】
図４は、本考案である真砂土を主成分とした舗装材料を表面化粧材に使用したコンクリート積ブロックの製造工程を示した流れ図である。本考案である真砂土を主成分とした舗装材料を、表面化粧材に使用したコンクリート積ブロック１の作業工程は次の７つからなる。
【００１５】
まず、真砂土を主成分とした舗装材料を水と混合４、攪拌５、化粧用型枠に入れる６、振動を与え脱気を行う７の４つの工程では、表面化粧部２を形成し、次に化粧を行うブロックの型枠本体に主材料を充填８、ブロックを化粧用型枠の舗装材料に振動と圧力で圧着９，化粧用型枠を脱型１０の３つの工程で、コンクリート積ブロック部３を形成すると同時に真砂土を主成分とした舗装材料を表面化粧材に使用したコンクリート積ブロック１を作る。
【００１６】
真砂土を主成分とした舗装材料を水と混合４工程で使用する舗装材料は８０〜９０重量％の真砂土と、１０〜１５％重量の無機系固化剤と、水の吸水性及び保水性をバランスよく保つ素材を使用した１〜５重量％の吸収保水剤と、１〜５重量％の無機系顔料とからなる。
【００１７】
無機系固化剤は石灰、珪素、粘土、石膏、鉄分を主成分とし、その他無害な汎用的鉱物を含むことができるものである。また、吸収保水剤はゼオライト、ベントナイト、セルロース、鉢物培養土用湿潤粒剤等などを主成分として含んでおり、無機系顔料はベンガラなどが使われている。
【００１８】
以上の成分からなる舗装材料を適量の水と混合し、攪拌５する。十分に攪拌された舗装材料は化粧用型枠に入れられる６。舗装材料を流し込む化粧用型枠には表面化粧材２ａに凹凸２ｂが出来るように、底面部が凹凸になっている。
【００１９】
化粧用型枠に流し込まれた舗装材料は振動を与えられ脱気を行う７。攪拌５によって舗装材料内に空気を含んで気泡ができているため振動を与えながら空気を抜く。
【００２０】
次にコンクリート積ブロック３ａを作るため、化粧を行うブロックの型枠本体に主材料を充填８する。コンクリート積ブロック３ａの主材料はコンクリートである。
【００２１】
そして、ブロックを化粧用型枠の舗装材料に振動と圧力で圧着９工程で、型枠本体に充填されたコンクリート積ブロックの表面に化粧用型枠に入れられている舗装材料を圧着する。
【００２２】
十分に圧着したことを確認し、化粧用型枠を脱型１０し、本考案である真砂土を主成分とした舗装材料を表面化粧材に使用したコンクリート積ブロック１が完成する。
【００２３】
本考案では表面化粧部２が長方形状または五角形状のものとしたが、型枠を変えることで色々な形の真砂土を主成分とした舗装材料を表面化粧材に使用したコンクリート積ブロックを作ることができる。
【図面の簡単な説明】
【００２４】
【図１】本考案である真砂土を主成分とした舗装材料を表面化粧材に使用したコンクリート積ブロックの斜視図である。
【図２】本考案である真砂土を主成分とした舗装材料を表面化粧材に使用したコンクリート積ブロックの断面図である。
【図３】本考案である真砂土を主成分とした舗装材料を表面化粧材に使用したコンクリート積ブロックを積み重ねた状態を示した図である。
【図４】本考案である真砂土を主成分とした舗装材料を表面化粧材に使用したコンクリート積ブロックの製造工程を示した流れ図である。
【符号の説明】
【００２５】
１      真砂土を主成分とした舗装材料を表面化粧材に使用したコンクリート積ブロック
１ａ    真砂土を主成分とした舗装材料を表面化粧材に使用したコンクリート積ブロック
２      表面化粧部
２ａ    表面化粧材
２ｂ    凹凸
３      コンクリート積ブロック部
３ａ    コンクリート積ブロック
３ｂ    平面部
３ｃ    第一傾斜部
３ｄ    第二傾斜部
３ｅ    後拡張部
４      真砂土を主成分とした舗装材料を水と混合
５      攪拌
６      化粧用型枠に入れる
７      振動を与え脱気を行う
８      化粧を行うブロックの型枠本体に主材料を充填
９      ブロックを化粧用型枠の舗装材料に振動と圧力で圧着
１０      化粧用型枠を脱型
【図１】
0003116654.tif 000003
【図２】
0003116654.tif 000004
【図３】
0003116654.tif 000005
【図４】
0003116654.tif 000006